(57)【要約】【課題】装置を小型化して、最適な位置に電源供給装置を配設することが可能なプリンター装置を提供する。【解決手段】電源供給装置が脱着可能であって、印画動作中に記録用紙が装置本体の外部に露出するプリンター装置において、印画動作中に記録用紙が装置本体の外部に露出する外壁面の同一面に電源供給装置を装着するものである。【選択図】　　　　図１
2004122723.tif 000002
【特許請求の範囲】
【請求項１】
電源供給装置が脱着可能であって、印画動作中に記録用紙が装置本体の外部に露出するプリンター装置において、
印画動作中に記録用紙が装置本体の外部に露出する外壁面の同一面に電源供給装置を装着され、該電源供給装置によってプリント中の用紙が露出しないよう構成されていることを特徴とする請求項１に記載のプリンター装置。
【請求項２】
前記プリンター装置は、
記録用紙の搬送方向と直交する外壁面に電源供給装置を配設していることを特徴とする請求項１に記載のプリンター装置。
【請求項３】
電源供給装置が脱着可能であって、印画動作中に記録用紙が装置本体の外部に露出するプリンター装置において、
電源供給装置の底面中央部と、装置本体の電源供給装置取り付け壁面に形成された凸凹形状によって係合するように構成されていることを特徴とするプリンター装置。
【請求項４】
前記電源供給装置は電池であることを特徴とする請求項１及び請求項３に記載のプリンター装置。
【請求項５】
前記電源供給装置はＡＣアダプターであることを特徴とする請求項１及び請求項３に記載のプリンター装置。
【請求項６】
前記電源供給装置下部が本体下部接地面とほぼ同じ位置になるように取り付けられる事を特徴とする請求項４及び請求項５に記載のプリンター装置。
【発明の詳細な説明】
【０００１】
【発明の属する技術分野】
本発明は熱転写式プリンターやインクジェット式プリンターをプリント手段にもつプリントシステムに関し、より具体的には静止画を記録するスチルカメラやビデオカメラなどによって撮像された電子情報を、デジタルカメラやコンピューターもしくは、記録媒体を介して該装置によってプリント出力するのに好適なプリントシステムに関するものである。
【０００２】
【従来の技術】
従来から印画用紙に感熱型の用紙を用い、主走査方向に配列された複数個の発熱体を選択的に駆動して、用紙を副走査方向に搬送することで、用紙にドットライン状に印画を行うライン熱転写方式のプリンターがある。
【０００３】
近年、入力側としてのデジタルカメラやデジタルビデオカメラ、またはスキャナなどの画像を扱う入力機器の進歩に伴い、プリント手段として、熱転写方式のプリンター装置も注目されている。
【０００４】
それはインクジェットプリンターが、液滴を飛ばすか飛ばさないか、という２値の選択しかないために、小さな液滴を用紙へ着弾させて、誤差拡散等の手法でみかけの解像度と階調性を得ようとするのに対して、熱転写方式のプリンターの場合には、一つの画素において、制御可能な熱の値を容易に変更できるため、一つの画素に対する階調性が多く取る事が可能になるので、インクジェットプリンターに比べて滑らかで高画質な画像を得ることができるという点が上げられる。またサーマルヘッドの性能や用紙材料の性能も向上したために、仕上がり品位で銀塩写真にも見劣りしない画像プリントを得る事が可能になっており、近年のデジタルカメラの進歩に歩調を合わせるように特に自然画像用のプリンターとして注目されている。
【０００５】
また一方インクジェット式プリンターも液滴の小ドット化などの技術が進み、より高画質なものも登場している。
【０００６】
一方撮影機器としてのデジタルカメラやデジタルビデオの画質向上も著しく、銀塩式カメラから得られる写真プリントとなんら遜色ない結果が得られるようになっている。
【０００７】
そこでこうしたプリンター装置とデジタルカメラやデジタルビデオカメラなどの撮影機器を直接的に接続したり、または一体的に構成して、撮影された画像情報をコンピューターなどの画像情報を処理する機器を介すことなくプリントするシステムも登場している。
【０００８】
こうしたシステムによれば、デジタルカメラやデジタルビデオからの画像情報を簡単に写真的なプリントアウトを行うことが可能になり、大変便利である。
【０００９】
これらの一例として、たとえば、特開平１０−２４３３２７号公報では画像入力装置と画像出力装置の接続にについて述べられている。
【００１０】
これによれば、画像出力装置と画像入力装置とを接続してなる画像入出力システムであって、前記画像出力装置は、前記画像入力装置からの画像信号を受信して出力すると共に、前記画像入力装置に電力を供給する電源部を有し、前記画像出力装置は、前記画像出力装置に画像データを送信し、かつ前記画像出力装置から電源電力の供給を受けるための接続ケーブルにより前記画像出力装置と接続され、前記画像出力装置から電力供給を受けることの可否を判定する判定手段と、電源部とを有し、前記判定手段により、前記画像出力装置から電力供給を受けられると判定された場合は、前記画像出力装置からの電力を用い、電力供給を受けられないと判定された場合は、前記電源部からの電力を用いるというものである。これによれば画像出力装置から電力の供給が受けられるのでデジタルカメラなどの画像入力装置の電源の残量を気にすることなくプリント出力できるもので非常に効果的である。
【００１１】
また特開平９−６５１８２号公報の複合カメラでは、プリント時の電力省電について述べている。これによれば電子ビューファインダを有し且つ映像情報を記録媒体へ記録する撮影手段と、映像情報を記録紙へプリント出力するプリント手段とを一体化した複合カメラであって、上記プリント手段が記録紙へ映像情報をプリント出力している間は、上記電子ビューファインダへ電力を供給するのを停止するよう制御する制御手段を設けたものである。これによればプリント中は電子ビューファインダーへの電力供給をしないので節電に役立つというものであり非常に効果的である。
【００１２】
【発明が解決しようとする課題】
しかしながら、上記従来例ではプリンター装置や、デジタルカメラなどの画像入力機器とのシステムを構成したときに十分な小型化や、低コスト、高速化等に十分な解決方法を与えるものではなかった。
【００１３】
こうしたデジタルカメラなどの撮影機器とプリンターを直接接続してＰＣなどの複雑な手順を経ずに簡単にプリントしようとした機器を構成する場合、機器が大きくなってしまっては家庭で手軽に扱うというものには不適切である。
ここで近年ではＡＣアダプターや電池駆動によるプリンターも登場しており、機器の小型化や簡便性におおいに役立っている。
【００１４】
ここで、特開２０００−３０９１２８号公報プリンター装置においては、筐体内に設けられ画像情報に基づいて所定の画像を用紙に形成する画像形成手段と、この画像形成手段に上記用紙を供給する用紙供給手段と、上記筐体に設けられ上記画像が形成された用紙を排出する通常排出口と、上記筐体に設けられ、駆動用の電池を着脱可能なようになされた電池装着手段と、上記筐体に設けられ上記用紙を強制排出するように形成され、上記電池装着手段に電池が装着されたときは、少なくとも一部が該装着された電池で遮蔽されるような位置に形成された強制排出口を設けたことを特徴とするプリンター装置が開示されている。
【００１５】
これによれば、何らかの理由によりガイド部内でプリント用紙が詰まった場合には、強制排出口から外部にプリント用紙を排出することが可能であるとともに、この強制排出口を電池の装着面に設けたので、プリンター本体を小型化することができ、携帯性を向上させることができるというもので大変便利である。
【００１６】
しかしこの場合、通常の用紙の搬送ルートと用紙を取り出すときにどの位置に用紙があるかということを考えなくてはならない。
【００１７】
すなわち、通常の用紙搬送ルート上に取り出し位置があるならば、電池を装着した際に電池に用紙が当接しない位置までしか用紙は来ていないわけである。
【００１８】
なんらかの事情で用紙を取り出したいという場合、その位置までしか来ていない用紙を取り出せない場合があるという問題が生じてしまう。
【００１９】
また取り出したい用紙が十分外部から容易に手元まで搬送されるのであれば、逆に装着した電池に当たってしまう問題も生じてしまう。
【００２０】
実際は装置内でジャムが発生したりすると、用紙を取り出し位置まで搬送できない場合もあり強制取り出しは用紙がどこにあっても取れる位置に設置すべきである。
【００２１】
また電池を装置の本体内部に内蔵する機器の場合には、プリンター装置は消費する電力もデジタルカメラ等に比べると比較的大きく、電池のスペースを大きく本体内に配設しないと成らないため、実質的には本体の大きさは大きくなってしまうという問題点があった。
【００２２】
この様に従来の装置では使用者にとって使い勝手の良い、小型なプリントシステムが提供できていないという問題点があった。
【００２３】
本発明は以上の様な問題点を考慮してなされたものであり、電源供給装置を外部接続可能にしたプリンター装置をプリント手段とするプリントシステムであって、装置を小型化して、最適な位置に電源供給装置を配設することが可能なプリンター装置を提供することを目的とするものである。
【００２４】
【課題を解決するための手段】
上記の目的を達成する為に本発明によれば、請求項１について、電源供給装置が脱着可能であって、印画動作中に記録用紙が装置本体の外部に露出するプリンター装置において、印画動作中に記録用紙が装置本体の外部に露出する外壁面の同一面に電源供給装置を装着するものである。
【００２５】
これによれば、印画動作中に記録用紙が装置本体の外部に露出する外壁面の同一面に電源供給装置を装着され、該電源供給装置によってプリント中に用紙が露出しないよう構成されているものである。
【００２６】
請求項２について、前記プリンター装置は、記録用紙の搬送方向と直交する外壁面に電源供給装置を配設しているものである。
【００２７】
請求項３について、電源供給装置が脱着可能であって、印画動作中に記録用紙が装置本体の外部に露出するプリンター装置において、電源供給装置の底面中央部と、装置本体の電源供給装置取り付け壁面に形成された凸凹形状によって係合するように構成されているものである。
【００２８】
これによれば、電源供給装置の底面中央部と、装置本体の電源供給装置取り付け壁面に形成された凸凹形状によって係合するようになっている。
【００２９】
請求項４について、前記電源供給装置は電池である。
【００３０】
請求項５について、前記電源供給装置はＡＣアダプターである。
【００３１】
【発明の実施の形態】
図１至る図６において本発明の実施例について説明する。本装置は、プリンター部に昇華型の熱転写記録方式を採用し、電子的な画像の情報を任意なプリント枚数分プリントアウトすることが出来るものである。この装置について手順に従って説明する。
【００３２】
本発明に係わる通常の熱転写記録装置の一実施形態について、図面を参照して具体的に説明する。
【００３３】
図６は実施形態に係わる記録装置の側面の構成模式図である。まず、記録装置の全体構成について説明すると、装置本体１に記録用紙Ｐを積載した用紙カセット２から給紙ローラ３で一枚ずつ分離給送する。この際記録用紙Ｐは給紙時にバネ２０によって付勢された押上げ板２１によって給紙ローラ３に当接する。
【００３４】
記録用紙Ｐは記録用紙Ｐの紙の反りによる給紙不良を防ぐため、反りを矯正できる程度の作用力の用紙押さえバネ２４によって押さえられている。
【００３５】
そして、給紙ローラ３によって搬送された記録用紙Ｐは搬送ローラ対４で挟持搬送されて記録部を往復可能にしている。搬送ローラ対４はピンチローラ４―２とグリップローラ４―１で構成されている。
【００３６】
記録部においては記録用紙搬送経路を挟んでプラテンローラ５と記録情報に応じて発熱するサーマルヘッド６が対向しており、インクカセット７に収納される、熱溶融性または熱昇華性インクを塗布したインク層と印画面を保護するために印画面上にオーバーコートされるオーバーコート層をもつインクシート８をサーマルヘッド６によって記録用紙Ｐに押圧するとともに、選択的に加熱することにより、該記録用紙Ｐに所定画像を転写記録し、または保護層がオーバーコートされる。インクシート８は供給側７−２から巻き取り側７−１へ巻き取られる。
【００３７】
上記インクシートは、記録用紙Ｐの印画領域を覆ってそのサイズと略等しいサイズでイエロー（Ｙ）、マゼンタ（Ｍ）、シアン（Ｃ）の各インク層とオーバーコート（ＯＰ）層が並べて設けられたものであり、各層ずつ熱転写しては、記録用紙Ｐを記録開始位置Ｐ１に戻し、記録紙上に、順次重ねて転写される。
【００３８】
このように、記録用紙Ｐは搬送ローラ対４により、各色インク及びオーバーコート層の数だけ往復される。
【００３９】
この際、各インク層の印画後の記録用紙Ｐは装置本体１前方で搬送経路切り替えシート１６によって搬送路が切り替えられ、ガイド部１５に沿って排出方向へ導紙されている。
【００４０】
２６は排紙トレイ部でありこの上面は印画されて排紙された記録用紙Ｐのトレイ部分を兼用しており、用紙交換時には開くように構成されている。
【００４１】
前述の用紙押さえバネ２４はこの排紙トレイ部２６の内側の左右２箇所にに配設されている。
【００４２】
各インク層の印画終了後に記録用紙Ｐは排紙ローラ９へ案内され装置本体１前方に向かって排出され記録動作が終了する。
【００４３】
また印画用のサーマルヘッド６はヘッドアーム２２に一体的に具備されており、インクカセット７を交換する場合にはインクカセット７の抜き差しに支障ない位置まで退避する。
【００４４】
通常の熱転写記録装置ではＹＭＣ３色を３回面順次で記録する為、各色の記録先端を正確に合致させる制御が必要となる。このためには、図６に示す搬送ローラ対４で記録用紙Ｐを離さずしっかり挟持し搬送を行う必要がある。この為、記録用紙Ｐの送り方向の端部には記録不可能な余白部が必要となる。これを鑑み、最終的に、容易に、縁のない印画物を得るために、第３図に示す様に、記録用紙Ｐには、記録開始時搬送ローラ対４でしっかり挟持され記録できない余白部分を後で容易に手で切取り可能な様にミシン目１２が設けられる。
【００４５】
本発明は、上記説明したミシン目をもつ記録用紙Ｐと熱転写記録装置をもちいて実施され、上記の記録紙に設けられたミシン目領域にはオーバーコートするものとする。
【００４６】
また左下がり斜線で示す領域は印画の領域であり、ミシン目を含む領域を印画する様に制御される。オーバーコートは略印画される領域であり且つ印画される領域よりやや大きく印画される領域を含むように印画する様に制御される。
【００４７】
更に以下に装置に関わる詳しい説明をする。
【００４８】
図６に示す、記録装置１において、搬送ローラ対４は、ピンチローラ４―２とグリップローラ４―１からなり、このグリップローラ４―１は、図示しないステッピングモータの出力軸が減速機構を介してして直結され、このステッピングモータの回転制御により、正逆自在に駆動される。記録用紙Ｐは、搬送ローラ対４によりしっかりと挟持され、往復搬送されるもであるから、記録用紙Ｐもまた、ステッピングモータの回転制御により、正確に位置制御され、搬送駆動される。いま、一例としてサーマルヘッド６による１ライン分の記録ピッチを８５μｍとし、記録用紙Ｐを１ライン分搬送するためのステッピングモータのステップ数を４ステップとするならば、記録用紙Ｐは、ステッピングモータを４ステップで回転制御することにより、１ライン（すなわち８５μｍ）搬送することができる。図４に示した、印画範囲は、搬送方向において１４４ｍｍであるとすると、１６９４ライン印画可能であり、記録紙をこの分搬送するためには、ステッピングモータを６７７６ステップ分回転させればよい。
【００４９】
図６に示す、記録装置１において、給紙ローラ３から給紙ローラ対４を見て、給紙ローラ対４の近傍の位置に、記録紙先端検出センサー１０が置かれ、これにより記録紙の先端を検出し、検出後、搬送ローラ対４で挟持できる範囲で所定ラインを送り停止させる。この位置が前述の記録開始時の位置となる。
【００５０】
このとき、記録用紙Ｐの後端は装置本体１のインクカセット７の供給側７−１の下方、ファン２３の下方を通って装置本体１の後方に配設されたスリット２９から装置外部に露出する（記録用紙後端端部２８）。これは装置本体１を可搬時の利便性を考慮して最小限の大きさにする場合、印画時に装置本体１の印画時の用紙のセットされている位置から後端までの長さが記録用紙Ｐの長さより短いために生じる。
【００５１】
電池３０はこのスリットを覆い、且つ用紙搬送を妨げないような用紙用スリット（３０）を有し、装置本体１の外壁に装着されるようになっている（後述）。
【００５２】
この状態からまず最初のＹイエローからサーマルヘッド６を記録情報に応じて発熱駆動し、各色インクの所定画像を記録し、またはオーバーコート層を転写する。１色が終わると次にこの位置から記録用紙Ｐを排紙ローラ９のある方向に戻して搬送し、再び所定のライン数を戻し送り、ＹＭＣ各色及びオーバーコート層転写を４回繰返す。
【００５３】
図６に示す記録装置１において、記録紙先端検出センサー１０と、プラテンローラ５とサーマルヘッド６により記録用紙Ｐを押圧する位置の距離は、装置内部品配置を考慮し、記録紙上の距離で２０ｍｍに設定したがこれに限られるものでは無い。
【００５４】
この時、図４に示す印画物は、下記の様に各色インクを転写記録し、またオーバーコート層を転写することにより得られる。
【００５５】
図３のフローチャートにおいて色インク転写及びオーバーコートシーケンスを説明する。
【００５６】
Ｓ１：使用者は不図示のプリントボタンもしくはデジタルカメラやデジタルビデオカメラからの印画指示などによってプリント動作を指示する。
【００５７】
Ｓ２：装置本体１装置本体１内部の処理回路１８はプリント指示を実行した機器との通信を開始し、処理回路１８ではプリント指示を実行した機器との間でプリントに必要な諸条件の確認や必要であれば画像情報の印画情報への画像処理を行う。
【００５８】
Ｓ３：印画準備が出来たら制御手段１９は給紙ローラ３に連結されたモータを駆動して記録用紙Ｐを給紙開始する。
【００５９】
Ｓ４：記録紙先端検出後、ステッピングモータを所定ステップ分回転させ、印画を開始する。このとき、印画開始位置は、記録紙先端を基準として、１２．４６５ｍｍとした。
【００６０】
Ｓ５：引き続き、ステッピングモータを４ステップ分回転しながら、サーマルヘッドを発熱駆動し１ライン分の印画を行う。全部で６７７６ステップ分（１６９４ライン分）回転させ、印画を終了する。この時の印画終了位置は、記録紙先端を基準として、１５６．４５５ｍｍとなる。
【００６１】
Ｓ６：ついで、停止にいたるまでの減速のため、ステッピングモータを１０ライン分（４０ステップ分）程回転させ、停止させる。
【００６２】
Ｓ７：この状態から、ステッピングモータを逆転駆動し、記録用紙Ｐを印画時と逆方向に搬送し、所定のステップ数（６７７６ステップ−減速分）だけ戻して、更に減速のため、所定のライン数の１０ライン分（４０ステップ分）程回転させ、停止させる。
【００６３】
Ｓ８：上記をＹＭＣ３色分、３回程繰返し、所望の印画像を記録用紙Ｐに転写記録する。
【００６４】
Ｓ９：その後、そして、更に一回印画面保護の為のオーバーコート層を転写する。
【００６５】
Ｓ１０：その後ステッピングモータを駆動してそのまま排出ローラー９へ導き、排出ローラー９の駆動で用紙を排出して一連の動作を終了させる。
【００６６】
また、上記において、制御手段１９は記録用紙Ｐの給紙時に、最初に記録紙先端検出センサ１０で検知した記録紙の先端検出信号をもとに、ステッピングモータのステップ数と記録用紙Ｐの搬送時における位置関係をもとに、ステッピングモータの回転駆動のステップ数を、全印画記録時において管理することにより、記録位置管理を行うとしたが、これにかぎらす、各ＹＭＣ色及びオーバーコート層の転写記録時において、記録紙先端部に検出センサーを設けて記録紙の先端検出を行い、その信号を基準としてステッピングモータの回転駆動のステップ数を管理することにより、記録位置管理を行う構成としても良い。
【００６７】
また、上記において、オーバーコート層の転写は、サーマルヘッドの発熱駆動のＯＮ／ＯＦＦのみで行う様に記述したが、オーバーコートの転写開始時では、徐々に発熱量を増加させ、また、オーバーコートの転写終了時には、徐々に発熱量を減少させることにより得る様な制御を加える事も可能である。
【００６８】
こうした発熱を伴う動作によって装置が過熱して所定の性能を引き出せない場合があってはならない。特にヘッド近傍もしくは取り付け部品であるヘッドアーム２２が蓄熱していると印画のための過熱制御がうまくいかないことがある。そこでファン２３を設け、ヘッド近傍が所定の温度を上回った場合にはファン２３を回して空冷する。
【００６９】
ここで前述のＳ２のプリント指示を実行する機器と、該プリンター装置の通信について説明する。
【００７０】
一例として、今プリント指示を実行するのはデジタルカメラＤＣとして説明する。
【００７１】
図５はデジタルカメラＤＣとプリンター装置本体１を接続してある模式図である。
【００７２】
デジタルカメラＤＣは撮影後に該デジタルカメラＤＣ内部のメモリに画像情報が保持されているものとする。メモリはコンパクトフラッシュ（Ｒ）カードやスマートメデイアといった着脱自由なものが便利である。
【００７３】
デジタルカメラＤＣのモードを設定して、今任意の画像を再生させるものとする。
【００７４】
画像情報の再生はデジタルカメラＤＣの具備する液晶表示装置によって随時確認できるので使用者は撮影された好きな画像情報を任意に呼び出すことが可能である。
【００７５】
ここでケーブル２７や無線手段によってプリンター装置本体１と通信可能な状態であると、所定のプリント実行ボタン（図不示）によってデジタルカメラＤＣからプリンター装置へ必要な情報が通信され、プリンター装置本体１からプリント出力が得られるというものである。
【００７６】
上記必要な情報としては、デジタルカメラＤＣとのネゴシエーションの情報や、デジタルカメラＤＣからのプリントすべき画像の情報や画像情報に記録時または記録後から付加された情報、等である。
【００７７】
さてここで本発明に関わる内容について更に詳細に述べる。
【００７８】
電池３０はこのスリットを覆うように、装置本体１の外壁に装着されるようになっていることは前述したが、電池の装着について図２を用いて説明する。
【００７９】
電池３０を装置本体１に取り付けるとき、電池側コネクタ３１を本体側コネクタ３２に合わせるように差し込んで反対側のロック爪３３を装置本体１側のロックレバー３４のレバー爪３５で固定されるように押し込んで固定される。
【００８０】
ロックレバー３４は図不示のバネで上方に付勢されており、レバー爪３５の斜面に電池のロック爪３３が来るとバネ力に抗してロックレバー３４は下側に動いてロックされる。
【００８１】
ここで、電池３０の底面中央部には電池溝３６が形成されており、また装置本体１側には出っ張り部３７が形成されている。
【００８２】
電池３０を装着時にはこの電池溝３６と出っ張り部３７が係合するようになっている。
【００８３】
これは電池で覆われる位置に印画中の記録用紙Ｐが露出するためのスリット２９があり、電池３０に静圧などの外部からの力がかかった場合にその力を受けるための壁をスリット２９の近傍に立てることが出来ないため、こうした外部からの力を受ける役割を果たす規制形状である。
【００８４】
もちろん十分な高さ方向のスペースを確保して電池３０とスリット２９の間に壁を形成することは可能であるが、こうすると装置本体１の高さがその分厚くなってしまい、装置本体１の小型化に反してしまう。
【００８５】
またこの電池溝３６と出っ張り部３７は電池３０を装着する際のガイドの役割も果たしている。
【００８６】
また記録用紙後端端部２８は電池３０装着後に３８用紙用スリット内に収まるように装置本体１の大きさ、特に奥行き方向の長さを考慮して構成されている。
【００８７】
更に電池３０は部品の取り付け誤差などを考慮してもスリット２９から露出する記録用紙Ｐの動きを妨げないよう、用紙用スリット（３８）がスリット２９に合わさるよう配設されており、印画中の記録用紙Ｐが印画中に露出した際、容易に露出した記録用紙Ｐを間違って触ってしまうという事が無いように構成されている。
【００８８】
また本実施例では電池駆動を前提とした電池の装着で説明したが、これがＡＣアダプターのようなＤＣ電源供給装置であってもなんら内容は変わらずおなじである。
【００８９】
また本実施例では昇華型熱転写タイプのプリンター装置を用いて説明したが、インクジェット記録装置などほかのプリント手段を有するプリンター装置であってもなんら変わる事は無い。
【００９０】
【発明の効果】
以上説明した様に、本発明によれば、請求項１について、電源供給装置が脱着可能であって、印画動作中に記録用紙が装置本体の外部に露出するプリンター装置において、印画動作中に記録用紙が装置本体の外部に露出する外壁面の同一面に電源供給装置を装着するようにしたことで、電池を最適な位置に配設できるので小型化が可能であり、該電源供給装置によって露出した用紙が電源供給装置内の用紙用スリット内に覆い隠されるように構成されていることで、印画途中の印画用紙を誤って触ってしまうという事故を回避できるという効果を有している。
【００９１】
請求項２について、前記プリンター装置は、記録用紙の搬送方向と直交する外壁面に電源供給装置を配設していることで、装置の小型化が容易であるという効果を有している。
【００９２】
請求項３について、電源供給装置が脱着可能であって、印画動作中に記録用紙が装置本体の外部に露出するプリンター装置において、電源供給装置の底面中央部と、装置本体の電源供給装置取り付け壁面に形成された凸凹形状によって係合するように構成されていることで、用紙経路近傍に配設された電池に静圧などの外部からの力がかかった場合にその力を受けることが出来るので、印画中の用紙や装置本体にダメージを生じる危険が無いという効果を有している。
【００９３】
また、装置本体の電源供給装置の幅内で構成されているため高さ方向に余分な外部からの力を受けるためのスペースを設ける必要が無く、装置を小型化できるという効果も有している。
【００９４】
また電源供給装置を装着する際のガイドになり操作性が良いという効果も有している。
【００９５】
請求項６について、本体下部接地面と電源供給装置の接地側と同様の面をほぼ同一になるよう配置する事により、ある程度平行を保てない場所にプリンター装置を設置して作業を行っても給送時に起きる問題を低減する事が可能である。
【図面の簡単な説明】
【図１】第一実施例の電池形状。
【図２】第一実施例のプリンターの電池装着の構成模式図。
【図３】第一実施例のフローチャート１。
【図４】第一実施例の記録紙の図。
【図５】第一実施例の結線状態の図。
【図６】第一実施例のプリンターの構造を表した断面図。
【符号の説明】
１　装置本体
２　用紙カセット
３　給紙ローラ
４　搬送ローラ対
４―１　グリップローラ
４―２　ピンチローラ
５　プラテンローラ
６　サーマルヘッド
７　インクカセット
７−１　巻き取り側
７−２　供給側
８　インクシート
９　排紙ローラ
１０　記録紙先端検出センサー
１１　ＳＷ２信号
１２　ミシン目
１３　一時保存画像メモリ手段
１４　印字情報メモリ手段
１５　ガイド部
１６　余白部
１７　印画領域
１８　処理回路
１９　制御手段
２０　バネ
２１　押上げ板
２２　ヘッドアーム
２３　ファン
２４　用紙押さえバネ
２５　切り欠き部
２６　排紙トレイ部
２７　ケーブル
２８　記録用紙後端端部
２９　スリット
３０　電池
３１　電池側コネクタ
３２　本体側コネクタ
３３　ロック爪
３４　ロックレバー
３５　レバー爪
３６　電池溝
３７　出っ張り部
３８　用紙用スリット
ＤＣ　デジタルカメラ
Ｐ　記録用紙
Ｐ１　記録開始位置
【図１】
2004122723.tif 000003
【図２】
2004122723.tif 000004
【図３】
2004122723.tif 000005
【図４】
2004122723.tif 000006
【図５】
2004122723.tif 000007
【図６】
2004122723.tif 000008